(57)【要約】      （修正有）【課題】回転軸に直交する延線上に配置された２つのひも穴を用いて２本の靴ひもを巻き取る回転方式により、靴ひもを確実に締め、あるいは緩めることができる靴ひも巻取り装置を提供する。【解決手段】座体１０は、収納空間および収納空間の内外に連通し、かつ回転軸に直交する延線上に配置された二つのひも穴１７を有する。巻取体２０は、収納空間内に配置され、中心軸線上を回転し、靴ひも７０を巻取部２１に巻き取らせ、あるいは緩めたりする。係止部４０は、開口の壁面上に係止ブロック４５を装着し、この係止ブロック４５が歯車５１と噛み合い、弾性リング４７の作用を受けた状態で座体１０に装着される。駆動部５０は、歯車５１および軸棒５３を有し、係止ブロック４５の歯車５１と噛み合わさり、軸棒を介して巻取体２０を一方の方向に回転させ、靴ひも７０を巻取部２１に巻き取る。【選択図】図１
0003162969.tif 000002
【実用新案登録請求の範囲】
【請求項１】
収納空間および前記収納空間の内外に連通し、かつ回転軸に直交する延線上に配置された二つのひも穴を有する座体と、
前記収納空間内に配置され、中心軸を前記回転軸として回転し、前記ひも穴から挿入された靴ひもを巻取部に巻き取り、あるいは緩めたりする巻取体と、
前記巻取体と同一中心軸上で、相互に連接した開口を有し、前記開口は壁面上に係止ブロックを装着する収納穴を有し、前記係止ブロックは歯車を有し、弾性リングの作用を受け、係止突起を前記開口に進入させ、前記座体に装着される係止部と
同一中心軸上に前記開口内に配置される歯車、および前記開口の前端まで突出する軸棒を有し、前記巻取体とともに栓穴および栓軸を設け、前記係止ブロックの前記歯車と噛み合わさり、前記軸棒に前記巻取体を一方の方向に回転させ、靴ひもを前記巻取部に巻き取り、前記開口はさらに余分の空間を有し、前記歯車を軸に沿って移動させることにより、前記軸棒が引っ張られて前方に移動し、前記栓軸と前記栓穴との結合状態を解除し、前記係止部に装着される駆動部と、
を具備したことを特徴とする靴ひも巻取り装置。
【請求項２】
前記係止部は、前記開口の壁面上に前記収納穴を貫設し、前記係止部の外周に収納穴に連通した環溝を設けて弾性リングを装着し、前記弾性リングが前記係止ブロックの外端を押さえ付けることにより、前記係止ブロック内端の三角状の係止突起が開口内に進入することを特徴とする請求項１に記載の靴ひも巻取り装置。
【請求項３】
前記座体は、軸方向に位置決め環を有し、前記位置決め環は溝を有し、前記係止部は前記溝と結合する嵌合突起を有し、前記係止部を前記座体に装着して固定することを特徴とする請求項１または請求項２に記載の靴ひも巻取り装置。
【請求項４】
前記座体は、後端に凹むように設けられた前記収納空間、前端に前記収納空間と同軸で直径が小さい通孔を有し、前記巻取体は後端に同軸上で前記収納空間から突出した枢軸部を有し、前端に同軸上で前記通孔より小さい歯状の栓穴を有し、前記座体の後端に封蓋が装着され、前記封蓋は前記枢軸部が結合する枢軸座を有することを特徴とする請求項１または請求項２に記載の靴ひも巻取り装置。
【請求項５】
前記座体は、後端に位置決め環を有し、前記位置決め環の裏側が弧状を呈し、前記封蓋を結合させるため、裏側に前記収納空間と連接し、直径が長い嵌合孔を設けていることを特徴とする請求項４に記載の靴ひも巻取り装置。
【請求項６】
前記位置決め環は、前部に環突起を突設し、前記環突起内に二つのひも穴が設けられ、これら２つのひも穴を介して靴ひもが挿入されて前記巻取体に巻き取られることを特徴とする請求項５に記載の靴ひも巻取り装置。
【請求項７】
前記係止部は、後端に一定の深さを有し、前記通孔より大きい前記開口を設け、前端に前記開口と同軸で、前記開口より小さい穿孔が貫設され、前記駆動部の前記軸棒は穿孔を貫通して前記開口の前端まで突出し、前記駆動部の後端に前記巻取体の栓穴に対応して噛み合う栓軸が設けられ、前記軸棒は前記係止部を突出して制御部に結合し、
前記制御部は、後端に前記係止部の前半部をスライドさせて嵌合させる収納孔を設けていることを特徴とする請求項１から請求項６の何れか１項に記載の靴ひも巻取り装置。
【考案の詳細な説明】
【技術分野】
【０００１】
本考案は、靴ひも巻取り装置に関し、特に、回転方式により靴ひもを確実に締める靴ひも巻取り装置に関する。
【背景技術】
【０００２】
従来より、靴ひもを締める作業を容易にするための靴ひも巻き取り装置が数多く提案されている。
【０００３】
この種の従来の靴ひも巻取り装置には、例えば、歯止めにより靴ひもを挟持するとともに靴ひもを靴ひも結び装置によって結ぶようにした靴ひも結び装置（例えば、特許文献１参照）や、少なくとも１つのひも通し穴を経由して靴ひもを巻き取る巻取り装置を有する巻取り装置付き靴がある（例えば、特許文献２参照）。
【先行技術文献】
【特許文献】
【０００４】
【特許文献１】台湾特許第Ｉ２５２７４１号公報
【特許文献２】特開２００４−１３５８７５号公報
【考案の概要】
【考案が解決しようとする課題】
【０００５】
しかしながら、特許文献１に記載された従来技術では、以下の三つの欠点があった。  
まず第１に、ユーザーが靴ひもを結ぶ際に、片手で二本の靴ひもを上方に引き上げ、もう一方の手で靴ひも結び装置を押し下げなけれれば、靴ひもを結ぶことができず、手間が掛かった。そのため、幼児または知的障害者にとって、靴ひもをしっかり結ぶには困難があった。
【０００６】
第２に、靴ひもの端が靴ひも結び装置内に固定されていないため、靴ひもが緩まると靴ひもが靴ひも結び装置から外れてしまうことがあり、靴ひもを靴ひも結び装置に再び通すのには手間が掛かった。
【０００７】
第３に、歯止めにより靴ひもを挟持するが、靴ひもの表面を傷付けてしまい、靴ひもの寿命を短縮してしまうといった欠点があった。
【０００８】
また、特許文献２に記載の従来技術は、巻取り装置によって２本の靴ひもを一方向から巻き取るように構成されているため、巻き取る力が巻取り装置の一箇所に集中してしまい、円滑に靴ひもを巻き取れず、靴ひもを確実に締めることが難しい。
【０００９】
そこで、本考案は上記問題点に鑑みてなされたもので、回転軸に直交する延線上に配置された２つのひも穴を用いて２本の靴ひもを巻き取る回転方式により、靴ひもを確実に締め、あるいは緩めることができる靴ひも巻取り装置の提供を目的とする。
【課題を解決するための手段】
【００１０】
上述の目的を達成するため、本考案の靴ひも巻取り装置は、収納空間および前記収納空間の内外に連通し、かつ回転軸に直交する延線上に配置された二つのひも穴を有する座体と、前記収納空間内に配置され、中心軸を前記回転軸として回転し、前記ひも穴から挿入された靴ひもを巻取部に巻き取り、あるいは緩めたりする巻取体と、前記巻取体と同一中心軸上で、相互に連接した開口を有し、前記開口は壁面上に係止ブロックを装着する収納穴を有し、前記係止ブロックは歯車を有し、弾性リングの作用を受け、係止突起を前記開口に進入させ、前記座体に装着される係止部と、同一中心軸上に前記開口内に配置される歯車、および前記開口の前端まで突出する軸棒を有し、前記巻取体とともに栓穴および栓軸を設け、前記係止ブロックの前記歯車と噛み合わさり、前記軸棒に前記巻取体を一方の方向に回転させ、靴ひもを前記巻取部に巻き取り、前記開口はさらに余分の空間を有し、前記歯車を軸に沿って移動させることにより、前記軸棒が引っ張られて前方に移動し、前記栓軸と前記栓穴との結合状態を解除し、前記係止部に装着される駆動部と、を有している。
【考案の効果】
【００１１】
本考案の靴ひも巻取り装置によれば、回転軸に直交する延線上に配置された２つのひも穴を用いて２本の靴ひもを巻き取る回転方式により、靴ひもを確実に締め、あるいは緩めることができる。
【図面の簡単な説明】
【００１２】
【図１】本考案の第１の実施形態に係る靴ひも巻取り装置を示す分解斜視図。
【図２】組立後の第１の実施形態の係る靴ひも巻取り装置の全体構成を示す斜視図。
【図３】第１の実施形態に係る靴ひも巻取り装置の軸方向の断面図。
【図４】第１の実施形態に係る靴ひも巻取り装置の軸方向に直交する方向の断面図。
【図５】図２の座体および巻取り装置の軸方向に直交する方向の断面図。
【図６】第１の実施形態に係る靴ひも巻取り装置の靴ひもを緩める動作を説明するための断面図。
【図７】第１の実施形態に係る靴ひも巻取り装置が靴に装着された状態を示す側面図。
【図８】本考案の第２の実施形態に係る靴ひも巻取り装置の軸方向の断面図。
【図９】本考案の第３の実施形態に係る靴ひも巻取り装置の軸方向の断面図。
【考案を実施するための形態】
【００１３】
以下、本考案の実施形態を図面に基づいて説明する。
【００１４】
（第１の実施形態）
図１から図７は、本考案の第１の実施形態に係り、図１は、本考案の第１の実施形態に係る靴ひも巻取り装置を示す分解斜視図、図２は、組立後の第１の実施形態の係る靴ひも巻取り装置の全体構成を示す斜視図、図３は、第１の実施形態に係る靴ひも巻取り装置の軸方向の断面図、図４は、第１の実施形態に係る靴ひも巻取り装置の軸方向に直交する方向の断面図、図５は、図２の座体および巻取り装置の軸方向に直交する方向の断面図、図６は、第１の実施形態に係る靴ひも巻取り装置の靴ひもを緩める動作を説明するための断面図、図７は、第１の実施形態に係る靴ひも巻取り装置が靴に装着された状態を示す側面図である。
【００１５】
図１から図７に示すように、本実施形態の靴ひも巻取り装置は、座体１０と、巻取体２０と、封蓋３０と、係止部４０と、駆動部５０と、制御部６０とを有して構成される。
【００１６】
座体１０は、座体１０の後端に凹むように設けられた収納空間１１と、座体１０の前端に収納空間１１と同軸で直径が小さい通孔１２と、座体１０の前端に収納空間１１まで貫通した貫通孔１３と、前端と後端との間に設けられた位置決め環１６と、収納空間１１に連通し、かつ回転軸に直交する延線上に配置された二つのひも穴１７とを有する。
【００１７】
ひも穴１７は、二本の靴ひも７０の先端をそれぞれ収納空間１１に挿入するのに用いられる。すなわち、二つのひも穴１７は、図５に示すように、回転軸に直交する延線上にそれぞれ配置されているので、二本の靴ひも７０はそれぞれ異なる挿入方向から収納空間１１内に挿入される。  
位置決め環１６には、二つの溝１４が対称に設けられている。座体１０の後端の外周に入口ねじ山１５が設けられている。
【００１８】
巻取体２０は、座体１０の収納空間１１内に回転可能に嵌合され、巻取体２０の外周に巻取部２１が設けられている。巻取部２１のひも穴１７に対する位置に一定の深さを有する巻取穴２２が設けられている。巻取体２０の貫通孔１３に対する位置に魚眼状の螺穴２３が設けられている。
【００１９】
螺穴２３が巻取穴２２に装着されると、順番にひもをひも穴１７、巻取部２１から巻取穴２２内に挿入させ、ピン２３０が貫通孔１３を貫通して靴ひも７０の先端を巻取体２０内に固定させる。巻取体２０は、後端に同軸上で収納空間１１から突出した枢軸部２４を設け、前端に同軸上で通孔１２より小さい歯状の栓穴２５を設けている。
【００２０】
封蓋３０は、座体１０の入口ねじ山１５に螺合する蓋ねじ山３１を有し、収納空間１１の後端を閉鎖する。封蓋３０は、枢軸部２４が結合する枢軸座３２を設け、巻取体２０を収納空間１１内でスムーズに回転させる。
【００２１】
係止部４０は、後端に一定の深さを有し、通孔１２より大きい開口４１を設けている。前端には、開口４１と同軸で、開口４１より小さい穿孔４２が貫設されている。係止部４０の後端に溝１４に結合する嵌合突起４３が設けられ、係止部４０を座体１０に装着して固定する。
【００２２】
係止部４０の開口４１の壁面上に収納穴４４が貫設され、係止ブロック４５が装着される。係止部４０の外周には、収納穴４４に連通した環溝４６が設けられ、弾性リング４７を装着する。弾性リング４７が係止ブロック４５の外端を押さえ付けることにより、係止ブロック４５内端の三角状の係止突起が開口４１内に挿着される。
【００２３】
駆動部５０は、係止部４０に軸支され、かつ係止部４０内に設けられている。駆動部５０の同一中心軸上に開口４１内に配置される歯車５１、および穿孔４２を貫通して開口４１の前端まで突出する軸棒５３を有する。
【００２４】
駆動部５０の後端には巻取体２０の栓穴２５に対応して噛み合う栓軸５２が設けられている。係止ブロック４５は歯車５１と噛み合わさり、軸棒５３に巻取体２０を一方の方向に回転させ、靴ひもを巻取部２１に巻き取る。
【００２５】
また、開口４１は、さらに余分の空間を有し、駆動部５０の歯車５１を軸に沿って移動させることにより、軸棒５３が引っ張られて前方に移動し、栓軸５２と栓穴２５との結合状態が解除される。靴ひも７０を引っ張って緩める際と、巻取体２０が対応して回転する。
【００２６】
制御部６０は、使用者が摘んで回転操作する操作部を構成するもので、後端に係止部４０の前半部をスライドさせて嵌合させる収納孔６１を設けている。収納孔６１は、内部に軸棒５３が結合する結合孔６２も設けている。制御部６０の前端に結合孔６２と同軸の穿孔６３が設けられている。穿孔６３は、ねじ６４を貫通させ、軸棒５３に螺合させて駆動部５０と制御部６０とを結合させて一体とする。これにより、制御部６０は、駆動部５０を前後に移動させることができる。また、制御部６０の前端にねじ６４を覆う蓋６５が設けられている。
【００２７】
次に、このような構成の本実施形態の靴ひも巻取り装置の作用を説明する。  
使用者は、靴ひも巻取り装置を用いて靴のひも７０を締める場合に、図７に示す制御部６０を摘みながら時計回り方向（図４に示す矢印方向）に回転させる。
【００２８】
すると、制御部６０に軸支されている駆動部５０が同方向に回転し、この回転に伴い、駆動部５０の栓軸５２に噛み合っている栓穴２５により巻取体２０が同方向に回転される。この巻取体２０の回転により巻取部２１に靴ひも７０が巻き取られることで、靴ひも４０が締め付けられる。
【００２９】
この場合、係止ブロック４５が駆動部５０の歯車５１と噛み合っているので、巻取体２０を一方の方向のみに回転させると同時に逆回転することを防いでいるため、巻き取った靴ひも７０は緩むことはない。
【００３０】
また、座体１０の二つのひも穴１７は、回転軸に直交する延線上に配置されているため、二本の靴ひも７０はそれぞれ異なる挿入方向から収納空間１１内に挿入されて、巻取体２０によって巻き取られる。すなわち、巻取体２０によって二本の靴ひも７０がそれぞれ異なる挿入方向の二方向から巻き取るように構成されているため、巻き取る力が巻取体２０に集中せずに、二箇所に分散されるので、小さな力で円滑に靴ひも７０を巻き取ることができ、靴ひも７０を確実に締めることができる。
【００３１】
また、締めた靴ひも７０を緩める場合、使用者は、図６に示すように、制御部６０を摘みながら図６中の矢印方向に引っ張る操作を行う。
【００３２】
すると、駆動部５０の歯車５１が軸に沿って図６中の矢印方向に移動され、これに伴い、軸棒５３も引っ張られて同方向に移動することにより、栓軸５２と栓穴２５との結合状態が解除される。
【００３３】
これにより、使用者が靴ひも７０を引っ張って緩めると、巻取体２０が対応して回転するので、簡単に締めた靴ひも７０を緩めることができる。
【００３４】
この場合、二本の靴ひも７０は、それぞれの挿入方向が異なる二つのひも穴１７から引っ張られるので、引っ張って緩める際の力も小さくすることができ、円滑に緩めることができる。
【００３５】
したがって、第１の実施形態によれば、係止ブロック４５、収納穴４４、弾性リング４７および歯車５１の組み合わせにより、駆動部５０を一方向のみ回転させるため、巻取体２０が巻き取った靴ひも７０が緩むことを防ぐことができる。勿論、２つのひも穴１７の配置によって、靴ひも７０を締める際または緩める際の操作力を小さくでき、円滑に操作することができる。
【００３６】
また、本実施形態の靴ひも巻取り装置は、構造が丈夫なため、寿命が長く、耐力も大きいといた効果がある。
【００３７】
また、操作において、片手で回転させたり、引っ張ったりするだけで、靴ひも７０をきつく締めたり、緩めたりすることができる。そのため、両手を使う必要がなく、幼児または知的障害者でも簡単に使用することができる。
【００３８】
さらに、靴ひも７０の端が直接巻取体２０に巻き取られるため、靴ひも７０を緩める際、靴ひもが外れるのを心配しておそるおそる緩める必要がない。
【００３９】
さらに、また、靴ひも７０は巻取体２０に巻き取られるため、傷つく心配がなく、寿命を延ばすことができる。
【００４０】
このように、第１の実施形態の靴ひも巻取り装置によれば、回転軸に直交する延線上に配置された２つのひも穴１７を用いて２本の靴ひも７０を巻き取る回転方式により、靴ひも７０を確実に締め、あるいは緩めることができるといった効果が得られる。
【００４１】
（第２の実施形態）
図８は、本考案の第２の実施形態に係る靴ひも巻取り装置を示す軸方向の断面図である。なお、図８は、第１の実施形態の装置と同様な構成要素については同一の符号を付して説明を省略し、異なる部分のみを説明する。
【００４２】
図８に示すように、第２の実施形態に係る靴ひも巻取り装置は、座体１０の位置決め環１６の裏側が弧状に形成されている。そのため、靴ひも巻取り装置は、靴にフィットしやすく、好適な位置決め性および外観を有する。
【００４３】
また、位置決め環１６は、封蓋３０を結合させるため、裏側に収納空間１１と連接し、直径が長い嵌合孔１８を設けている。封蓋３０および巻取体２０の後端の中央に枢軸座３２および枢軸部２４が対応するように設けられている。これにより、封蓋３０が巻取体２０の位置決めをすることができる。  
その他の構成は第１の実施形態と同様である。
【００４４】
したがって、第２の実施形態によれば、第１の実施形態の効果と同様の効果が得られる他に、位置決め環１６により、靴にフィットしやすく、好適な位置決め性および外観が得られるとともに、封蓋３０により巻取体２０の位置決めが可能となる。
【００４５】
（第３の実施形態）
図９は、本考案の第３の実施形態に係る靴ひも巻取り装置を示す軸方向の断面図である。なお、図９は、第１の実施形態の装置と同様な構成要素については同一の符号を付して説明を省略し、異なる部分のみを説明する。
【００４６】
図９に示すように、第３の実施形態の靴ひも巻取り装置は、位置決め環１６の前部に環突起１９が設けられている。この環突起１９は、制御部６０方向に突出するように形成されている。
【００４７】
そして、この環突起１９の内側には、二つのひも穴１７が設けられている。すなわち、環突起１９の内側の二つのひも穴１７から靴ひも７０が挿入されて巻取体２０に巻き取られるので、靴ひも７０を完全に隠すことができる。  
その他の構成は第１の実施形態と同様である。
【００４８】
したがって、第３の実施形態によれば、第１の実施形態の効果と同様の効果が得られる他に、位置決め環１６の前部に環突起１９を設け、この環突起１９の内側に二つのひも穴を設けたことにより、靴ひも７０を完全に隠すことができるといった効果が得られる。
【００４９】
本考案は、以上述べた実施形態に限定されるものではなく、考案の要旨を逸脱しない範囲で種々変形実施可能である。
【符号の説明】
【００５０】
１０…座体、
１１…収納空間、
１２…通孔、
１３…貫通孔、
１４…溝、
１５…入口ねじ山、
１６…位置決め環、
１７…ひも穴、
１８…嵌合孔、
１９…環突起、
２０…巻取体、
２１…巻取部、
２２…巻取穴、
２３…螺穴、
２４…枢軸部、
２５…栓穴、
３０…封蓋、
３１…蓋ねじ山、
３２…枢軸座、
４０…係止部、
４１…開口、
４２…穿孔、
４３…嵌合突起、
４４…収納穴、
４５…係止ブロック、
４６…環溝、
４７…弾性リング、
５０…駆動部、
５１…歯車、
５２…栓軸、
５３…軸棒、
６０…制御部、
６１…収納孔、
６２…結合孔、
６３…穿孔、
６４…ねじ、
６５…蓋、
７０…靴ひも、
２３０…ピン。
【図１】
0003162969.tif 000003
【図２】
0003162969.tif 000004
【図３】
0003162969.tif 000005
【図４】
0003162969.tif 000006
【図５】
0003162969.tif 000007
【図６】
0003162969.tif 000008
【図７】
0003162969.tif 000009
【図８】
0003162969.tif 000010
【図９】
0003162969.tif 000011